(57)【特許請求の範囲】
【請求項１】
制御部と、
前記制御部によって複数のチャンネルの信号の中から特定のチャンネルの信号を選択する第１の受信部及び第２の受信部と、
前記第１の受信部及び前記第２の受信部の出力側に接続された復調部と、
前記第２の受信部が選択した信号の受信強度を検波する検波部と、
前記検波部が検波した前記受信強度と所定レベルとを比較する比較部とを備え、
前記制御部は、前記第１の受信部が第１のチャンネルの信号を選択時に、前記第２の受信部に第２のチャンネルの信号を選択させ、前記比較部による比較結果に基づいて、前記第２のチャンネルの信号の受信強度が前記所定レベル以上の場合、記憶部に前記第２のチャンネルの情報を記憶させ、
前記第１の受信部からの前記第１のチャンネルの信号の誤り率が所定値以上と判定された場合、前記制御部は前記第２の受信部に前記第１のチャンネルの信号を選択させ、前記復調部に前記第１の受信部からの前記第１のチャンネルの信号と前記第２の受信部からの前記第１のチャンネルの信号とをダイバーシチ方式で復調させることを特徴とする
放送受信モジュール。
【請求項２】
前記制御部は、前記比較部による比較結果に基づいて、前記第２のチャンネルの信号の受信強度が前記所定レベル未満の場合、前記第２の受信部で選択される信号を前記第２のチャンネルの信号から第３のチャンネルの信号に変更することを特徴とする
請求項１に記載の放送受信モジュール。
【請求項３】
前記制御部は、前記検波部が検波した前記受信強度に基づいて、前記検波部が検波した信号がデジタル放送の信号かアナログ放送の信号かを判定することを特徴とする
請求項１に記載の放送受信モジュール。
【請求項４】
アンテナと、
制御部と、
前記制御部によって前記アンテナからの複数のチャンネルの信号の中から特定のチャンネルの信号を選択する第１の受信部及び第２の受信部と、
前記第１の受信部及び前記第２の受信部の出力側に接続された復調部と、
前記復調部の出力側に接続された表示部と、
前記第２の受信部が選択した信号の受信強度を検波する検波部と、
前記検波部が検波した前記受信強度と所定レベルとを比較する比較部とを備え、
前記制御部は、前記第１の受信部が第１のチャンネルの信号を選択時に、前記第２の受信部に第２のチャンネルの信号を選択させ、前記比較部による比較結果に基づいて、前記第２のチャンネルの信号の受信強度が前記所定レベル以上の場合、記憶部に前記第２のチャンネルの情報を記憶させ、
前記第１の受信部からの前記第１のチャンネルの信号の誤り率が所定値以上と判定された場合、前記制御部は前記第２の受信部に前記第１のチャンネルの信号を選択させ、前記復調部に前記第１の受信部からの前記第１のチャンネルの信号と前記第２の受信部からの前記第１のチャンネルの信号とをダイバーシチ方式で復調させることを特徴とする
放送機器。
【発明の詳細な説明】
【技術分野】
【０００１】
本発明は、信号を受信するための放送受信モジュールとこれを用いた放送機器に関する。
【背景技術】
【０００２】
以下、従来の放送機器１０１について、図面を用いて説明する。
【０００３】
図７は、従来の放送機器１０１のブロック図である。図７において、放送機器１０１は、アンテナ１０２と、放送受信モジュール１０３と、表示部１０４とを有する。そして、放送受信モジュール１０３は、アンテナ１０２からの複数のチャンネルの受信信号のうち、あるチャンネルの信号を選択する受信部１０５と、受信部１０５の出力側に接続された復調部１０６と、復調部１０６の出力側に接続された信号処理部１０７とを有している。さらに、受信部１０５、復調部１０６、及び信号処理部１０７には、制御部１０８が接続されている。また、制御部１０８には、入力キー１１１と、各チャンネルの情報などが記憶された記憶部１１２とが接続されている。
【０００４】
次に、このような従来の放送受信モジュール１０３の動作について説明する。
【０００５】
受信部１０５によって選択されるチャンネルの信号がＮチャンネル（Ｎは自然数）の信号に設定されている場合、ユーザが入力キー１１１における次チャンネル選択ボタンを押すと、制御部１０８は、この入力キー１１１からの信号を検知する。そして、制御部１０８は、記憶部１１２からＮ＋１チャンネル（もしくはＮ−１）である第１のチャンネルの情報を読み込み、この第１のチャンネルの情報を用いて、受信部１０５で選択される信号を第１のチャンネルの信号に設定する。さらに、制御部１０８は、復調部１０６で復調される信号のチャンネルを第１のチャンネルに設定し、復調部１０６で復調された第１のチャンネルの復調信号に放送信号が含まれているか否かを判定する。これにより、第１のチャンネルが視聴可能なチャンネルか否かが判定されていた。
【０００６】
そして、第１のチャンネルの復調信号に放送信号が含まれていると判定された場合には、制御部１０８は、信号処理部１０７に第１のチャンネルの復調信号を処理させる。一方、第１のチャンネルの復調信号に放送信号が含まれていないと判定された場合には、制御部１０８は、記憶部１１２からＮ＋２チャンネル（もしくはＮ−２）である第２のチャンネルの情報を読み込み、第２のチャンネルについて第１のチャンネルと同様の処理を繰り返す。このように、制御部１０８が復調信号に放送信号が含まれていると判定するまで、つまり、視聴可能なチャンネルが特定されるまで、制御部１０８による処理が繰り返される。
【０００７】
なお、この出願の発明に関連する先行技術文献としては、例えば、特開２００３−３３３４４１号公報が知られている。
【０００８】
しかしながらこのような従来の放送受信モジュールにおいて、制御部１０８は、第１のチャンネルの復調信号中における放送信号の有無に基づいて、第１のチャンネルが視聴可能なチャンネルか否かを判定していたので、復調部１０６による復調処理が行われた後でしか、制御部１０８は判定処理を行うことができなかった。その結果、視聴可能なチャンネルを特定するまでの時間が長くなるという問題があった。
【発明の開示】
【０００９】
本発明における放送受信モジュール及びこれを用いた放送機器は、この問題を解決したもので、チャンネルスキャン処理時において、視聴可能なチャンネルが特定されるまでの時間を短縮する。
【００１０】
本発明の放送受信モジュールは、制御部と、複数のチャンネルの信号を受信することが可能でありこの制御部によって複数のチャンネルの信号の中から特定のチャンネルの信号を選択する受信部と、受信部の出力側に接続された復調部と、受信部が選択した信号の受信強度を検波する検波部と、検波部が検波した受信強度と所定レベルとを比較する比較部とを備える。そして、制御部は、受信部が第１のチャンネルの信号を選択時に、比較部による比較結果に基づいて、第１のチャンネルの信号の受信強度が所定レベル未満の場合、受信部で選択される信号を第１のチャンネルの信号から第２のチャンネルの信号に変更し、第１のチャンネルの信号の受信強度が所定レベル以上の場合、復調部に前記第１のチャンネルの信号を復調させる。
【００１１】
このような構成により、復調部によって第１のチャンネルの信号を復調しなくとも、制御部は、比較部の比較結果に基づいて、第１のチャンネルが視聴可能なチャンネルであるか否かを判定することができる。その結果、チャンネルスキャン処理時において、視聴可能なチャンネルが特定されるまでの時間を短縮することができる。
【００１２】
また、本発明の放送受信モジュールは、復調部が復調した第１のチャンネルの信号が放送信号を含んでいるか否かを判定する放送信号検知部を備える。そして、この放送信号検知部が第１のチャンネルの信号が放送信号を含んでいないと判定した場合、制御部は、受信部に第２のチャンネルの信号を選択させる。
【００１３】
このような構成により、第１のチャンネルに放送信号が存在しないのにもかかわらず、第１のチャンネルの信号の受信強度がノイズによって所定レベル以上になった場合、制御部は、第１のチャンネルを視聴可能でないチャンネルと判定できる。その結果、チャンネルスキャン処理時において、視聴可能なチャンネルをより確実に特定することができる。すなわち、所定レベル以上の受信強度の信号のみが復調されて、放送信号の有無が判定されるので、チャンネルスキャン処理時において、視聴可能なチャンネルが特定されるまでの時間を短縮することができる。
【００１４】
さらに、本発明の放送受信モジュールは、比較部による比較結果に基づいて、受信強度が所定レベル以上の場合、第１のチャンネルの情報を記憶する記憶部を有する。
【００１５】
これにより、一度視聴可能な第１のチャンネルが特定されると、次回からは、制御部は、チャンネルスキャン処理をしなくとも、記憶部に記憶された第１のチャンネルの情報を元に第１のチャンネルを選局することができる。
【００１６】
本発明の放送受信モジュールは、複数のチャンネルの信号を受信することが可能であり、制御部によって複数のチャンネルの信号の中から特定のチャンネルの信号を選択する第１受信部及び第２の受信部と、第１の受信部及び第２の受信部の出力側に接続された復調部と、第２の受信部が選択した信号の受信強度を検波する検波部と、この検波部が検波した受信強度と所定レベルとを比較する比較部とを備える。そして、上記制御部は、第１の受信部が第１のチャンネルの信号を選択時に、第２の受信部に第２のチャンネルの信号を選択させ、比較部による比較結果に基づいて、第２のチャンネルの信号の受信強度が所定レベル以上の場合、記憶部に第２のチャンネルの情報を記憶させる。
【００１７】
これにより、第１の受信部によって選択された第１のチャンネルをユーザが視聴している間に、第２の受信部を用いて視聴可能なチャンネルが特定され、記憶部に記憶される。従って、一度視聴可能な第１のチャンネルが特定されると、次回からは、制御部は、チャンネルスキャン処理をしなくとも、記憶部に記憶された第１のチャンネルの情報をもとに第１のチャンネルを選局することができる。
【００１８】
また、一般に、デジタル放送の信号において、放送モードとガードインターバル比の組み合わせは複数存在する。従って、デジタル放送の信号を変調するためには、複数回変調しなければならない。つまり、アナログ放送の信号を復調するよりも、デジタル放送の信号を復調するほうが時間を要する。そこで、復調する前におけるデジタル放送の信号の受信強度を検波することにより、チャンネルスキャン時において、視聴可能なチャンネルが特定されるまでの時間を大幅に短縮することができる。
【発明を実施するための最良の形態】
【００１９】
（実施の形態１）
以下、本実施の形態１における放送受信モジュールおよびそれを用いた放送機器について図１および図２を用いて説明する。
【００２０】
図１は本実施の形態１における放送機器のブロック図である。図１において、放送機器１は、例えば、テレビ機能付き携帯端末や車に搭載されたテレビである。放送機器１は、アンテナ２と、放送受信モジュール３と、表示部４とを有する。また、放送受信モジュール３は、受信部５と、この受信部５の出力側に接続された復調部６と、この復調部６の出力側に接続された信号処理部７とを有する。さらに、受信部５、復調部６、及び信号処理部７には、制御部８が接続されている。また、受信部５の出力側には検波部９が接続され、検波部９の出力側には比較部１０が接続され、比較部の出力側には上記制御部８が接続される。そして、制御部８には、入力キー１１と、記憶部１２とが接続されている。なお、放送機器１が携帯電話などの携行可能な機器である場合、放送信号の受信場所が移動するので、視聴可能なチャンネルは変化しやすい。
【００２１】
以下、放送機器１の各構成について詳述する。
【００２２】
アンテナ２は、地上波デジタル放送の複数のチャンネルの放送信号を受信する。このアンテナ２に入力された複数のチャンネルの放送信号は受信部５へ供給される。
【００２３】
受信部５は、アンテナ２から供給された複数のチャンネルの信号を受信することができ、この複数のチャンネルの信号の中から特定のチャンネルの信号を選択する。つまり、受信部５は、複数のチャンネルから特定のチャンネルを選局する。この受信部５は、所定の周波数の信号を送出する局部発信器５１と、この局部発信器５１からの信号とアンテナ２からの放送信号とを混合する混合器５２とを有する。さらに、受信部５は、混合器５２の出力が供給されたフィルタ５３と局部発信器５１にループ接続されたＰＬＬ回路５４とを有する。この受信部５は、制御部８からチャンネル周波数帯域情報などの特定のチャンネルの情報を受けることにより、特定のチャンネルを選局する。詳述すると、制御部８からの特定のチャンネルの情報に基づいて、ＰＬＬ回路５４において、局部発信器５１から混合器５２に供給される信号の周波数が決定され、フィルタ５３において、フィルタリングする信号の周波数帯域が決定される。また、受信部５からの特定のチャンネルの信号は、復調部６と検波部９に供給される。
【００２４】
復調部６は、受信部５が選択した信号を復調する復調処理部６１と、この復調処理部６１の出力側に接続された訂正処理部６２とを有している。デジタル地上波の１セグメント放送において、２つの放送モードと４つのガードインターバル比とが存在する。そして、この復調部６は、デジタル地上波の１セグメント放送を復調する場合、これら放送モードとガードインターバル比にあわせて、信号を復調する。これら放送モードとガードインターバル比の組み合わせに対して、復調設定データが複数存在する。復調部６は、制御部８からこの復調設定データを受け、受信部５からの特定のチャンネルの信号を復調する。
【００２５】
信号処理部７は、復調部６で復調された特定のチャンネルの符号化信号を映像信号や音声信号にデコードし、これら映像信号と音声信号とを表示部４に供給する。
【００２６】
表示部４は、信号処理部７からの映像信号を表示する液晶表示装置などの動画表示装置４１と、信号処理部７からの音声信号を出力する音声出力装置４２とを有する。
【００２７】
制御部８は、受信部５、復調部６、及び信号処理部７などを制御する。この制御部８の動作については後で詳しく説明する。
【００２８】
検波部９は、受信部５が選択した特定のチャンネルの信号の受信強度を検波する。この受信強度は、受信部５が選択した信号の振幅の大きさであり、例えば、ＡＧＣ回路で測定されるＡＧＣ電圧である。なお、検波部９は、復調部６と同じＩＣ内に含まれていても良いし、復調部６と同じＩＣ内に含まれていなくても良い。なお、この検波部９と受信部５との間には、受信部５が選択した信号に含まれるノイズを除去するために、フィルタ５３よりもさらに急峻な通過特性を有した狭帯域フィルタ（図示せず）が設けられていることが望ましい。
【００２９】
比較部１０は、検波部９が検波した信号の受信強度と予め定められた所定レベルとを比較し、どちらの受信強度が高いのかを示す信号を制御部８に出力する。ここで所定レベルとは、受信強度のレベルである。この比較部１０は、制御部８と同じＩＣ内に含まれていても良いし、制御部８と同じＩＣ内に含まれていなくても良い。
【００３０】
入力キー１１は、例えば、電源オンあるいは電源オフする旨を入力するオン・オフキーと、受信チャンネルを上側の次チャンネルへ変える旨を入力する上チャンネルキーと、受信チャンネルを下側の次チャンネルへ変える旨を入力する下チャンネルキーとを含む。また、入力キー１１は、例えば、放送機器１にチャンネルスキャン処理を開始させる旨を入力するチャンネルスキャンキーを含んでいても良い。
【００３１】
記憶部１２は、上記復調設定データやチャンネルの情報などを記憶している。
【００３２】
次に、このような放送機器１の制御部８におけるチャンネルスキャン処理の動作について、図２を参照しながら説明する。
【００３３】
図２は本発明の実施の形態１における放送機器の動作のフローチャートである。初期状態として、図１の表示部４において、あるチャンネルの放送が表示されている状態、どのチャンネルの放送も表示されていない状態、または電源オフ状態などが想定される。
【００３４】
まず、開始処理ステップＳ８１において、制御部８は、オン・オフキー、上チャンネルキー、下チャンネルキー、またはチャンネルスキャンキーからの入力を検出し、チャンネルスキャン処理を開始する。なお、開始処理ステップＳ８１において、制御部８は、次の視聴可能チャンネルが存在するかどうかを記憶部１２に確認しても良い。これにより、既に次の視聴可能チャンネルが存在する場合は、制御部８は、以下のチャンネルスキャン処理をせずに、その視聴可能チャンネルを受信部に選択させることができる。
【００３５】
次に、制御部８では、チャンネル設定ステップＳ８２において、チャンネル設定が行われる。このチャンネル設定ステップＳ８２では、制御部８は、第１のチャンネルの情報を記憶部１２から読み込み、この第１のチャンネルの情報を受信部５におけるＰＬＬ回路５４やフィルタ５３に供給する。そして、受信部５は、複数のチャンネルの信号の中から第１のチャンネルの信号を選択し、第１のチャンネルの信号を復調部６と検波部９とに出力する。次に、検波部９が受信部５からの第１のチャンネルの信号の受信強度を検波し、比較部１０がこの受信強度と所定レベルとを比較する。
【００３６】
次に、制御部８では、スキャンステップＳ８３において、制御部８は、比較部１０からの信号を受け、第１のチャンネルの信号の受信強度が所定レベル以上であるか否かを判定する。制御部８は、第１のチャンネルの信号の受信強度が所定レベル未満であると判定した場合、第１のチャンネルを視聴可能なチャンネルでないと判断する。そして、制御部８は、チャンネル設定ステップＳ８２に戻り、第２のチャンネルの情報を記憶部１２から読み込み、この第２のチャンネルの情報を受信部５に供給する。以後、第２のチャンネルの信号について上記と同様の処理が繰り返される。なお、第２のチャンネルは、例えば、第１のチャンネルの次のチャンネル、つまり、第１のチャンネルの上側あるいは下側の周波数帯域のチャンネルである。
【００３７】
一方、スキャンステップＳ８３で、制御部８は、第１のチャンネルの信号の受信強度が所定レベル以上であると判定した場合、復調部設定ステップＳ８４に移る。この復調部設定ステップＳ８４では、制御部８は、受信部５からの第１のチャンネルの信号が復調されるように復調部６を設定する。具体的には、制御部８は、復調設定データを復調部６に供給する。なお、この復調部設定ステップＳ８４では、制御部８は、復調部設定ステップＳ８４が開始してからの経過時間も監視している。この経過時間が規定時間に達した場合、制御部８は、次の復調設定データを復調部６に供給する。
【００３８】
次に、制御部８は、信号処理ステップＳ８５に進み、信号処理部７に復調部６からの復調信号を処理させる。
【００３９】
このように、制御部８は、視聴可能なチャンネルを特定するまで、チャンネル設定ステップＳ８２とスキャンステップＳ８３とを繰り返し実行する。これにより、復調部６によって第１のチャンネルの信号を復調しなくとも、制御部８は、比較部１０の比較結果に基づいて、第１のチャンネルが視聴可能なチャンネルであるか否かを判定することができる。その結果、チャンネルスキャン処理時において、視聴可能なチャンネルが特定されるまでの時間を短縮することができる。
【００４０】
なお、スキャンステップＳ８３で、制御部８は、第１のチャンネルの信号の受信強度が所定レベル以上であると判定した場合、制御部８は第１のチャンネルの情報を記憶部１２に記憶することが望ましい。これにより、一度視聴可能な第１のチャンネルが特定されると、次回からは、制御部８は、チャンネルスキャン処理をしなくとも、記憶部１２に記憶された第１のチャンネルの情報をもとに第１のチャンネルを選局することができる。
【００４１】
また、アナログ放送の信号は、デジタル放送の信号に比べて大きな信号強度であるので、アナログ放送の場合の検波部９で検波される受信強度は、デジタル放送の場合の受信強度よりも大きい。そこで、デジタル放送のチャンネルスキャン処理時の場合、スキャンステップＳ８３において、制御部８は、検波部９が検波した受信強度に基づいて、第１のチャンネルの信号がデジタル放送の信号かアナログ放送の信号かを判定しても良い。この場合、放送局の近隣でデジタル放送を受信した場合の受信強度が、その放送がデジタル放送と判断される最大値である。これにより、デジタル放送のチャンネルスキャン処理時の場合、強電界のアナログ放送のチャンネルを視聴可能チャンネルとして特定することを防ぐことができる。なお、この場合、制御部８は、例えば弱電界のアナログ放送のチャンネルもデジタル放送のチャンネルであると判定してしまう。そこで、復調部６と並列にアナログ放送用復調部（図示せず）を設け、このアナログ放送用復調部に受信部５からの信号を供給することにより、制御部８は、復調された信号中にアナログ放送信号が含まれているか否かを判定しても良い。アナログ放送の復調に要する時間は、デジタル放送の復調に要する時間に比べて短い。従って、受信部５が選択した放送信号がデジタル放送の信号かアナログ放送の信号かを短時間で確認することができる。
【００４２】
なお、復調部６は、１セグメント放送の信号を復調するものだけでなく、アナログ放送を復調するものであっても、１２セグメント放送あるいは３セグメント放送を復調するものであっても良い。これらの場合にも、上記と同様に、チャンネルスキャン処理時において、視聴可能なチャンネルが特定されるまでの時間を短縮することができる。
【００４３】
また、本発明の放送機器は、デジタルラジオや衛星デジタル放送などの受信強度が検出できる放送についても、同様にチャンネルスキャン時における時間を短縮できる。
【００４４】
（実施の形態２）
以下、本実施の形態２における放送受信モジュール及びそれを用いた放送機器について、図３と図４とを参照して説明する。なお、特に説明しない限りは実施の形態１と同様である。
【００４５】
図３は、実施の形態２における放送受信モジュールおよびそれを用いた放送機器のブロック図である。図３において、復調部６と制御部８との間に、放送信号検知部１３が設けられている。放送信号検知部１３は、復調部６に復調された第１のチャンネルの信号が放送信号を含んでいるか否かを判定し、その判定結果を制御部に伝える。この放送信号は、例えば、第１のチャンネルの信号のヘッダーとして存在するＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）情報である。
【００４６】
次に、放送機器１の制御部８におけるチャンネルスキャン処理の動作について、図４を参照して説明する。
【００４７】
図４は本発明の実施の形態２における放送機器の動作のフローチャートである。図４における図２との相違点は、放送信号検知ステップＳ８６が、復調部設定ステップＳ８４の後に設けられている点である。
【００４８】
この放送信号検知ステップＳ８６において、制御部８は、上記放送信号検知部１３の判定に基づいて、第１のチャンネルの信号が放送信号を含んでいない場合、第１のチャンネルを視聴可能なチャンネルでないと判断する（Ｓ８６）。つまり、制御部８は、第１のチャンネルの受信強度が所定レベル以上であっても、第１のチャンネルの信号に放送信号が含まれていなければ、第１のチャンネルを視聴可能なチャンネルでないと判断する。そして、制御部８は、チャンネル設定ステップＳ８２に戻り、第２のチャンネルの情報を受信部に供給する。そして、制御部８は、第２のチャンネルの信号について第１のチャンネルの信号と同様の処理をする。
【００４９】
一方、第１のチャンネルの信号が放送信号を含んでいる場合、制御部８は、第１のチャンネルを視聴可能なチャンネルであると判断し、信号処理ステップＳ８５に進む。
【００５０】
このように、制御部８は、視聴可能なチャンネルを特定するまで、チャンネル設定ステップＳ８２から放送信号検知ステップＳ８６までを繰り返し実行する。これにより、第１のチャンネルに放送信号が存在しないのにもかかわらず、第１のチャンネルの信号の受信強度がノイズなどによって所定レベル以上になった場合においても、制御部８は、第１のチャンネルを視聴可能でないチャンネルと判定できる。その結果、チャンネルスキャン処理時において、視聴可能なチャンネルをより確実に特定することができる。所定レベル以上の受信強度の信号のみが復調されて、放送信号の有無が判定されるので、チャンネルスキャン処理時において、視聴可能なチャンネルが特定されるまでの時間を短縮することができる。
【００５１】
なお、放送信号検知ステップＳ８６では、制御部８は、放送信号検知ステップＳ８６が開始してからの経過時間も監視している。放送信号検知部１３が放送信号を検知しないままこの経過時間が規定時間となる場合に、上記復調設定データを次の組み合わせの復調設定データに変更する。そして、その設定によって第１のチャンネルの信号を復調した後に、再度、その復調信号に放送信号が含まれているか否かを判定する。そして全ての復調設定データで、第１のチャンネルの信号に放送信号が含まれていない場合、制御部８は、第１のチャンネルを視聴可能なチャンネルでないと判断し、チャンネル設定ステップＳ８２に戻る。なお、制御部８は、ある復調設定データによって復調された信号が放送信号を含んでいると判定した場合、その復調設定データについての情報を記憶部１２に記憶しても良い。こうすることにより、視聴可能なチャンネルを選局するまでの時間を短縮することができる。
【００５２】
なお、１つの受信部５に対し、複数の復調部６を設けるとさらに良い。これは、検波部９における検波処理に比べて復調部６における復調処理の方が遅いので、複数の復調部６で並列に復調処理を行えばさらに早く視聴可能なチャンネルを特定できる。
【００５３】
（実施の形態３）
以下、本実施の形態における放送受信モジュール及びこれを用いた放送機器について図５と図６とを参照して説明する。なお、特に説明しない限りは実施の形態１と同様である。
【００５４】
図５は本発明の実施の形態３における放送機器のブロック図である。図５において、放送機器１は、受信部として、第１の受信部５ａ及び第２の受信部５ｂを有する。そして、第１の受信部５ａの出力側および第２の受信部５ｂの出力側には、復調部６が接続されている。また、第２の受信部５ｂの出力側には、実施の形態１と同様に、検波部９と比較部１０と制御部８とが順に接続されている。
【００５５】
第１の受信部５ａは、所定の周波数の信号を送出する第１の局部発信器５１ａと、この第１の局部発信器５１ａからの信号と第１のアンテナ２ａからの放送信号とを混合する第１の混合器５２ａとを有する。さらに、第１の受信部５ａは、第１の混合器５２ａの出力が供給された第１のフィルタ５３ａと第１の局部発信器５１ａにループ接続された第１のＰＬＬ回路５４ａとを有する。
【００５６】
第２の受信部５ｂは、所定の周波数の信号を送出する第２の局部発信器５１ｂと、この第２の局部発信器５１ｂからの信号と第２のアンテナ２ｂからの放送信号とを混合する第２の混合器５２ｂとを有する。さらに、第２の受信部５ｂは、第２の混合器５２ｂの出力が供給された第２のフィルタ５３ｂと第２の局部発信器５１ｂにループ接続された第２のＰＬＬ回路５４ｂとを有する。
【００５７】
制御部８は、第１の受信部５ａ、第２の受信部５ｂ、復調部６、及び信号処理部７などを制御する。この制御部８には、訂正処理部６２から出力される誤り率の値が入力される。制御部８は、通常は、復調部６に第１の受信部５ａからの信号のみを復調させる。しかし、制御部８は、第１の受信部５ａからの信号の誤り率の値が予め定められた値以上となると、第１の受信部５ａからの信号の受信品質が悪いと判定し、第１の受信部５ａからの信号と第２の受信部５ｂからの信号とをダイバーシチ方式で復調する旨の信号を復調部６に送出する。
【００５８】
具体的には、第１の受信部５ａからの信号の受信品質が悪くなると、制御部８は、第１の受信部５ａと第２の受信部５ｂとに、同じチャンネルの情報を送出し、第１の受信部５ａと第２の受信部５ｂとの双方に同じチャンネルを受信させる。さらに、制御部８は、復調部６に、そのチャンネルの情報を送信することにより、第１の受信部５ａからの信号と受信部５ｂからの信号とを合成して復調させる。これにより、復調部６は、第１の受信部５ａからの信号と第２の受信部５ｂからの信号とを合成するので、第１の受信部５ａからの信号の受信品質が悪くても良好な受信感度を得ることができる。なお、制御部８は、第１の受信部５ａからの信号の受信品質が良いと判定した場合には、第２受信部５ｂの動作をオフとし、第１の受信部５ａのみを動作するようにしている。これにより、放送機器１の消費電力を抑えることができる。
【００５９】
次に、このような放送機器１の制御部８におけるチャンネルスキャン処理の動作について、図６を参照しながら説明する。
【００６０】
図６は本発明の実施の形態３における放送機器の動作のフローチャートである。
【００６１】
初期状態として、復調部６が第１のチャンネルの信号のみを選択的に復調している状態を想定する。
【００６２】
まず、開始処理ステップＳ８１において、制御部８は、例えば、自動的に定期的にチャンネルスキャン処理を開始する。
【００６３】
次に、制御部８では、チャンネル設定ステップＳ８２において、チャンネル設定を行う。このチャンネル設定ステップＳ８２では、制御部８は、第１のチャンネルとは別の第２のチャンネルの情報を記憶部１２から読み込み、この第２のチャンネルの情報を第２の受信部５ｂに供給する。そして、第２の受信部５ｂは、複数のチャンネルの信号の中から第２のチャンネルの信号を選択し、第２のチャンネルの信号を復調部６と検波部９とに出力する。さらに、検波部９が第２の受信部５ｂからの第２のチャンネルの信号の受信強度を検波し、比較部１０がこの受信強度と所定レベルとを比較する。
【００６４】
次に、制御部８では、スキャンステップＳ８３が行われる。このスキャンステップＳ８３において、制御部８は、比較部１０からの信号を受け、第２のチャンネルの信号の受信強度が所定レベル以上であるか否かを判定する。制御部８は、第２のチャンネルの信号の受信強度が所定レベル未満であると判定した場合、第２のチャンネルを視聴可能なチャンネルでないと判断する。そして、制御部８は、チャンネル設定ステップＳ８２に戻り、第３のチャンネルの情報を記憶部１２から読み込み、この第３のチャンネルの情報を第２の受信部５ｂに供給する。以後、第３のチャンネルの信号について上記と同様の処理が繰り返される。なお、第３のチャンネルは、例えば、第２のチャンネルの次のチャンネル、つまり、第２のチャンネルの上側あるいは下側の周波数帯域のチャンネルである。
【００６５】
一方、スキャンステップＳ８３で、制御部８は、第２のチャンネルの信号の受信強度が所定レベル以上であると判定した場合、制御部８は、第２のチャンネルを視聴可能なチャンネルと判断し、記憶部書き込みステップＳ８７に進み、第２のチャンネルの情報を記憶部１２に記憶する。
【００６６】
制御部８は、この記憶部書き込みステップＳ８７を終えるとチャンネルスキャン処理を終了する。
【００６７】
このように、制御部８は、視聴可能なチャンネルを特定するまで、チャンネル設定ステップＳ８２とスキャンステップＳ８３とを繰り返し実行する。これにより、第１の受信部５ａによって選択された第１のチャンネルをユーザが視聴している間に、第２の受信部５ｂを用いて視聴可能なチャンネルが特定され、記憶部１２に記憶される。一度視聴可能な第２のチャンネルが特定されると、次回からは、制御部８は、チャンネルスキャン処理をしなくとも、記憶部１２に記憶された第２のチャンネルの情報をもとに第２のチャンネルを選局することができる。
【００６８】
なお、制御部８は、記憶部書き込みステップＳ８７を終えると、チャンネル設定ステップＳ８２に戻り、第３のチャンネルの信号について上記と同様の処理を繰り返しても良い。つまり、制御部８は、ある視聴可能なチャンネルを特定しても、他の視聴可能なチャンネルを特定するためにチャンネルスキャン処理を繰り返しても良い。これにより、ユーザが第１のチャンネルを視聴している間に、より多くの視聴可能なチャンネルを特定することができる。
【００６９】
また、訂正処理部６２から供給された、第１の受信部５ａからの第１のチャンネルの信号における誤り率の値が所定値以上となった場合に、制御部８は、チャンネルスキャン処理を一時停止し、第１の受信部５ａからの第１のチャンネルの信号と第２の受信部５ｂからの第１のチャンネルの信号とをダイバーシチ方式で復調する旨の信号を復調部６に送出しても良い。これにより、チャンネルスキャン処理中に、第１の受信部５ａからの信号の受信品質が悪くなっても、良好な受信感度を保つことができ、表示部４に表示される画質の品質を保持できる。また、制御部８は、このチャンネルスキャン処理の停止時において、スキャン処理中のチャンネルを記憶部１２に記憶させることが望ましい。これにより、制御部８は、次にチャンネルスキャン処理を開始する場合、前回チャンネルスキャン処理停止時におけるスキャン中のチャンネルから、処理を開始することができ、処理の重複を避けることができる。
【００７０】
また、復調部６の他に、第２の受信部５ｂの出力側に第２の受信部用復調部（図示せず）が接続されていても良い。この構成において、復調部６が第１の受信部５ａからの第１のチャンネルの信号を復調している間に、第２の受信部用復調部が第２の受信部５ｂで選択された信号を復調する。そして、制御部８は、第２の受信部５ｂで選択された信号に放送信号が含まれているか否かを判定する。これにより、第２のチャンネルに放送信号が存在しないのにもかかわらず、第２の受信部５ｂからの第２のチャンネルの信号の受信強度がノイズなどによって所定レベル以上になった場合、制御部８は、第２のチャンネルを視聴可能でないチャンネルと判定できる。
【産業上の利用可能性】
【００７１】
本発明の放送受信モジュール及びこれを用いた放送機器は、チャンネルスキャン処理時において、視聴可能なチャンネルが特定されるまでの時間を短縮することができ、自動車に搭載されるテレビや携帯端末などに利用できる。
【図面の簡単な説明】
【００７２】
【図１】本発明の実施の形態１における放送機器のブロック図
【図２】本発明の実施の形態１における放送機器の動作のフローチャート
【図３】本発明の実施の形態２における放送機器のブロック図
【図４】本発明の実施の形態２における放送機器の動作のフローチャート
【図５】本発明の実施の形態３における放送機器のブロック図
【図６】本発明の実施の形態３における放送機器の動作のフローチャート
【図７】従来の放送機器のブロック図
【符号の説明】
【００７３】
１    放送機器
２    アンテナ
３    放送受信モジュール
４    表示部
５    受信部
６    復調部
７    信号処理部
８    制御部
９    検波部
１０    比較部
１１    入力キー
１２    記憶部
【図１】
0004396704.tif 000002
【図２】
0004396704.tif 000003
【図３】
0004396704.tif 000004
【図４】
0004396704.tif 000005
【図５】
0004396704.tif 000006
【図６】
0004396704.tif 000007
【図７】
0004396704.tif 000008